(57)【要約】      （修正有）【課題】引っ越し、転勤、海外旅行などに携帯でき、遺骨収納部を有する所謂小型のお墓として故人を偲び日々の供養の対象となる宗教用具を提供することにある。【解決手段】左側板２Ａ、右側板２Ｂ、天板２Ｃ、底板２Ｄ及び背板２Ｉから成り前面に開口部が形成された背面視略矩形の箱形状の本体２と、本体２の一側辺部にヒンジ部材４を介して開閉自在に取り付けられ左側板３Ａ、右側板３Ｂ、天板３Ｃ、底板３Ｄ及び背板３Ｉから成り前面に開口部が形成された蓋体３と、本体２の内部に収納された墓石形状の遺骨収納具５と、蓋体３の内部に収納された遺影６を収めた額縁７とから成り携帯に便利な構成とした。【選択図】図１
0003222472.tif 000002
【実用新案登録請求の範囲】
【請求項１】
左右の側板、天板、底板及び背板から成り前面に開口部が形成された箱形状の本体と、該本体の一側辺部にヒンジ部材を介して開閉自在に取り付けられ左右の側板、天板、底板及び背板から成り前面に開口部が形成された蓋体と、前記本体の内部に収納された墓石形状の遺骨収納具と、前記蓋体の内部に収納された遺影を収めた額縁とから成り携帯に便利なことを特徴とする宗教用具。
【請求項２】
前記蓋体を開放状態とすることで、前記本体の底板と前記蓋体の底板で卓上に自立可能なことを特徴とする請求項１に記載の宗教用具。
【請求項３】
前記遺骨収納具は、戒名や没日などを刻設する略矩形状に形成された本体部と、該本体部の下部に付設され略矩形状に形成された上台部と、該上台部の下部に付設され略矩形状に形成された下台部との三段形状から成り、前記下台部の下面から前記本体部に向けて内設され遺骨を収納する遺骨カプセルを収納可能な空洞部と、該空洞部の下端部に形成された開口部に螺合する蓋部とを有することを特徴とする請求項１または請求項２に記載の宗教用具。
【請求項４】
前記遺骨カプセルは、カプセル開口部と、遺骨を収納可能なカプセル本体部と、前記カプセル開口部に一端部側が螺合する螺合部を有するカプセル蓋部とからなることを特徴とする請求項３に記載の宗教用具。
【請求項５】
前記遺骨カプセルは、前記カプセル蓋部の前記螺合部とは別の他端側に、身体に装着するための締結部材を着脱可能になるリング部を有し、前記リング部に前記締結部材を取付けて装飾品として使用可能となることを特徴とする請求項４に記載の宗教用具。
【請求項６】
前記遺骨収納具が、黒檀、アルミニウム合金、セラミックス、大理石などで形成されていることを特徴とする請求項１から請求項３のいずれか１項に記載の宗教用具。
【請求項７】
前記蓋体の前記背板の内壁に付設された家系図や故人に関する資料などを収納可能な収納部と、前記本体内部に前記締結部材や故人の遺品などの小物を収納可能な小物収納部とを有することを特徴とする請求項１または請求項２に記載の宗教用具。
【考案の詳細な説明】
【技術分野】
【０００１】
本考案は、携帯可能な形態でありながら、遺骨、遺影、小型のお墓等を収納した卓上で供養の対象となり得る宗教用具に関する。
【背景技術】
【０００２】
従来より、霊園などの墓地に遺骨を安置し、自宅には大型の仏壇に位牌を配置し、日々ご先祖の供養をすることが一般的であった。
【０００３】
しかし、近時における日本では、人口減少、少子高齢化、都市部への人口集中などの影響により、都市部より遠方にあるお墓の管理が困難なことや、都市部の狭小住居に従来の大型仏壇を設置することが困難であるなど、従来通りの墓地や仏壇などでは、現在の生活環境に適合できない問題があった。
【０００４】
そこで、このような問題に対応するために、特許文献１には、手軽に携帯することができると共に、他人が見ても違和感がないように工夫した携帯用仏壇が開示されている。
【０００５】
また、特許文献２には、居間などに安置した場合に、平常時はインテリアとして機能し、居間の雰囲気にマッチし、命日などには仏壇として機能し、コンパクトで設置スペースもわずかで足りる仏壇が開示されている。
【先行技術文献】
【特許文献】
【０００６】
【特許文献１】実用新案登録第３０６６５７３号公報
【特許文献２】実用新案登録第３０１６７６０号公報
【考案の概要】
【考案が解決しようとする課題】
【０００７】
しかしながら、上記特許文献１に記載の携帯用仏壇は、その構成がカード状の位牌と個人の遺影などで、先祖を供養するにはあまりに簡易的すぎる問題がある。
【０００８】
また、特許文献２に記載のコンパクトな仏壇は、携帯性に欠点があると共に、お墓としての機能を有していないので、別に遺骨を安置する墓地を準備する必要があった。
【０００９】
本考案は、上記課題を鑑みてなされたものであり、その具体的目的は、引っ越し、転勤、海外旅行など携帯にも便利で、遺骨収納部を有する小型のお墓として故人を偲び日々の供養の対象となる宗教用具を提供することにある。
【課題を解決するための手段】
【００１０】
本考案は、上記目的を達成するために案出されたものである。詳述するならば、左側板、右側板、天板、底板及び背板から成り、前面に開口部が形成された背面視略矩形の箱形状の本体と、該本体の一側辺部にヒンジ部材を介して開閉自在に取り付けられ、左側板、右側板、天板、底板及び背板から成り、前面に開口部が形成された蓋体と、前記本体の内部に収納された墓石形状の遺骨収納具と、前記蓋体の内部に収納された遺影を収めた額縁とから成る携帯に便利な構成が含まれる。
【００１１】
本考案の宗教用具は、全体形状が箱形状となる本体と開閉自在な蓋体との其々の内部に、宗教用具の構成要素を収納できるシンプルな形状であるため、蓋体を開放状態にすれば卓上などに展示可能となり、本体と蓋体とを重畳状態とすればコンパクトで携帯性が向上する効果が得られる。
【００１２】
さらに説明すると、本考案には、前記ヒンジ部材が最大開放状態での前記蓋体と前記本体とで形成する角度である最大開放角度が９０度以上であり１８０度未満の角度とすることで、前記本体の底板と前記蓋体の底板とで卓上に安定的に自立可能な構成が含まれる。
【００１３】
本考案によれば、本体の一側辺部と蓋体の一側辺部がヒンジ部材で連結されていて、蓋体の最大開放角度が９０度以上であり１８０度未満の角度であることから、本体と蓋体とが平面視において略く字形状に其々配置されることとなり、卓上などでより安定的な自立状態を保持できる効果がある。
【００１４】
また、本考案には、前記遺骨収納具が、戒名や没日などを刻設され略矩形状に形成された本体部と、該本体部の下部に付設され略矩形状に形成された上台部と、該上台部の下部に付設され略矩形状に形成された下台部との三段形状に形成され、前記下台部の下面から前記本体部に向けて内設された遺骨を収納する遺骨カプセルを収納可能な空洞部と、該空洞部の下端部に形成された開口部に螺合する蓋部とを有する構成が含まれる。
【００１５】
本考案によれば、遺骨収納具が所謂小さなお墓としての機能を発揮するので、墓地に出向かなくとも日々の供養をはじめ、命日、法事などが自宅で行える効果がある。
【００１６】
さらに、本考案には、前記遺骨カプセルが、カプセル開口部と、遺骨を収納可能なカプセル本体部と、前記カプセル開口部に一端側が螺合する螺合部を有するカプセル蓋部とからなる構成が含まれる。
【００１７】
本考案によれば、遺骨カプセルを有することで、遺骨を密閉し漏れだすことを防ぐと同時に、遺骨にカビが発生することを防ぐことができ安定した状態で、保存が可能となる効果を得られる。
【００１８】
加えて、本考案には、前記遺骨カプセルが、前記カプセル蓋部の前記螺合部とは別の他端側に、身体に装着するための締結部材を着脱可能になるリング部を有し、前記締結部材であるネックレスチェーン、ネックレス紐、ブローチ留め金、イヤリング留め具などを取付けて装飾品として使用可能となる構成が含まれる。
【００１９】
本考案によれば、遺骨カプセルを遺骨収納具より取り出し、締結部材を取付けることで、故人の遺骨を身近に携帯することができ、常に遺族が故人を偲ぶことができる効果がある。
【００２０】
また、本考案には、前記遺骨収納具が、黒檀、アルミニウム合金、セラミックス、大理石などで形成されている構成が含まれる。
【００２１】
本考案の遺骨収納具によれば、所謂小さなお墓となり、故人を偲び供養する対象となるために、視覚的にも触覚的にもその対象となり得る感覚を得られる効果がある。
【００２２】
本考案の宗教用具には、前記蓋体の前記背板の内壁に付設された、家系図や故人に関する資料などを挿入可能な収納部と、前記本体の内部に前記締結部材や遺品などの小物を収納可能な小物収納部とを有する構成が含まれる。
【００２３】
本考案の宗教用具には、供養の対象物である遺骨収納具や遺影、遺骨カプセルを身につけるために使用する締結部材や、故人の遺品や故人の資料となる家系図などを全て収納することができるので、各構成物を一括で管理できることで紛失を防止できる効果が期待できる。
【考案の効果】
【００２４】
本考案の宗教用具は、コンパクトな形状に形成されているので、引っ越し、転勤、海外旅行など携帯に便利であり、しかも、遺骨収納部が小型のお墓としての機能を有し、また、遺影なども含むことで、遺族が故人を偲び日々の供養の対象とできる効果がある。
【図面の簡単な説明】
【００２５】
【図１】本考案に係る宗教用具の実施形態を示す斜視図である。
【図２】図１に示す宗教用具の分解状態を示す斜視図である。
【図３】本考案に係る宗教用具の底面を示す斜視図である。
【図４】本考案に係る遺骨収納具の分解状態と締結部材とを示す斜視図である。
【図５】本考案に係る遺骨カプセルの分解斜視図である。
【図６】本考案に係る額縁の裏面図である。
【図７】本考案に係る遺骨収納具の他の実施形態を示す正面図である。
【考案を実施するための形態】
【００２６】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、宗教用具を卓上の展示した状態で、開口部側を前側といい反対側を裏側といい、その状態を基準に左右・上下方向を決定し、前側から裏側に沿った向きを厚さ方向という。
【００２７】
図１に示されるように、本考案に係る宗教用具１は、本体２と、蓋体３と、遺骨収納具５と、遺影６を収めた額縁７とで構成されている。また、本体２は、左側板２Ａと、右側板２Ｂと、天板２Ｃと、底板２Ｄと、背板２Ｉとから成り、前面に開口部２Ｆが形成された背面視略矩形の箱形状に形成されている。さらに、蓋体３は、左側板３Ａと、右側板３Ｂと、天板３Ｃと、底板３Ｄと背板３Ｉとから成り、前面に開口部３Ｆが形成された背面視略矩形の箱形状に形成されている。
【００２８】
本体２と蓋体３とは、その右側板２Ｂと天板２Ｃとの交点近傍と、左側板３Ａと天板３Ｃとの交点近傍とをヒンジ部材４を介して取り付けられ、同様に、右側板２Ｂと底板２Ｄとの交点近傍と、左側板３Ａと底板３Ｄとの交点近傍とをヒンジ部材４を介して開閉自在に取り付けられている。また、本体２の内部に収納された墓石形状の遺骨収納具５と、同じく本体２の内部に小物を収納可能な小物収納部２Ｇと、蓋体３の内部に収納された遺影６を収めた額縁７とで構成されている。さらに、蓋体３の開閉をロックするロック部材として、左側板２Ａの所要位置に配設されたロック嵌合部２Ｊと、ロック嵌合部２Ｊと対向する右側板３Ｂの所要位置にロックピン３Ｊが配設されている。
【００２９】
また、図２に示すように、本体２の内部は、左右方向と上下方向の略中央近傍に配設され遺骨収納具５と略同形状で遺骨収納具５を嵌入可能な収納凹溝部８と、その収納凹溝部８よりやや下方の所要位置に配設された、小物収納部２Ｇを嵌入可能な小物収納凹溝部９とで形成されている。
【００３０】
図２及び図６に示されるように蓋体３は、額縁７の下端部を係止するために底板３Ｄの内壁の厚さ方向のやや奥側の位置において、左右方向に沿った方向に配設された棒状の係止棒１０と、額縁７の裏面に突設された磁石１１に対応する所要位置の背板内壁１２に付設された磁性体１３と、家系図１６や故人に関する資料などを挿入するために背板内壁１２の左右方向の略中央位置に配設された上下方向に沿った挿入口１４を有する袋状の収納部１５とが形成されている。
【００３１】
また、額縁７は、前面のガラスが接着されたフレーム部７Ａと、遺影６を挟持するための挟持板７Ｂと、挟持板７Ｂを係止するためにフレーム部７Ａの裏面に回動自在に螺着された係止部材７Ｃと、額縁７を蓋体３に保持すために挟持板７Ｂの左右方向の略中央所要位置に突設された磁石１１とで形成されている。
【００３２】
図２及び図３に示されるように宗教用具１は、ヒンジ部材４が全開状態としたときの本体２と蓋体３とで形成される平面視角度である最大開放角度が、ヒンジ部材４に規制され９０度以上１８０度未満の角度であり、本体２と蓋体３とが平面視において略く字形状に其々配置されることと、底板２Ｄ，３Ｄの下面に付設された合成ゴム製の脚部２Ｈ，３Ｈの効果により、卓上などで安定的な自立状態を保持できるよう形成されている。
【００３３】
図４及び図７に示されるように遺骨収納具５は、戒名や没日などを刻設する略矩形状から成る収納具本体部５Ａと、その下部に付設され収納具本体部５Ａより平面視において全ての辺の長さがやや長い辺からなる略矩形状の上台部５Ｂと、上台部５Ｂの下部に付設され上台部５Ｂより平面視において全ての辺の長さがやや長い辺からなる略矩形状の下台部５Ｃとの三段形状から成り、下台部５Ｃの左右方向と前後方向の略中心位置で下台部５Ｃの下面から収納具本体部５Ａに向けて内設され遺骨を収納する遺骨カプセル２０を収納可能な空洞部５Ｄと、その空洞部５Ｄの下端部に形成された収納具開口部５Ｅに螺合する蓋部５Ｆとで形成されている。
【００３４】
また、図４及び図５に示すように遺骨カプセル２０は、遺骨を収納するための略円筒形のカプセル本体部２０Ａと、そのカプセル本体部２０Ａの一端側にカプセル開口部２０Ｃと、カプセル開口部２０Ｃに一端側が螺合する螺合部２０Ｄを有し、他端側に身体に取り付けるためのネックレスチェーン３０が着脱可能になるリング部２０Ｅを有するカプセル蓋部２０Ｂとで形成されている。
【００３５】
ネックレスチェーン３０は、使用者が首にかけるための所要長さを有するチェーン本体３０Ｂと、チェーン本体３０Ｂの一端部に開閉可能なリング形状から成る連結金具３０Ａとで形成されている。
使用時においては、連結金具３０Ａに使用者が装着に適した長さの位置のチェーン本体３０Ｂと、リング部２０Ｅとを連結することで首飾りとして使用すればよい。
【００３６】
本実施形態に係る本体２、蓋体３、フレーム部７Ａ及び挟持板７Ｂは、木材、アルミニウム合金、エンジニアリングプラスティックなどを使用し、切削加工、プレス成形、鋳造成形、射出成形や押出成形で形成すればよい。
また、遺骨収納具５は、黒檀、アルミニウム合金、セラミックス、大理石などを使用し、切削加工、プレス成形、鋳造成形などで形成すればよい。
さらに、遺骨カプセル２０、ネックレスチェーン３０、ヒンジ部材４、ロック嵌合部２Ｊ及びロックピン３Ｊは、ステンレス鋼、金、金合金、銀、銀合金などを使用し、切削加工、プレス成形、鋳造成形などで形成すればよい。
【００３７】
このように本考案の宗教用具は、容易に卓上で展示できる他、コンパクトな形状に形成されているので、引っ越し、転勤、海外旅行など携帯に便利であり、遺族が望めば遺骨を収納した装飾用具を身につけて故人を偲ぶことができる効果がある。
【実施例】
【００３８】
以下、本考案の実施例について説明するが、本考案は、以下の実施例に限定されるものではなく、各寸法及び材料を含め考案の要旨の範囲内で適宜変更して実施できる。
【００３９】
本考案の宗教用具を実施するために、本体と蓋体は、本体と蓋体とを重畳状態とした寸法が、高さ１５５ｍｍ、幅１３０ｍｍ、厚さ５０ｍｍとし木材を使用して形成し、遺骨収納具は、高さ１００ｍｍ、幅６０ｍｍ、奥行き６０ｍｍとし黒檀を使用して形成し、額縁は、高さ１３５ｍｍ、幅１００ｍ、厚さ１４ｍｍとし木材を使用して形成し、蓋体の最大開放角度を１００度として形成することで、携帯性、展示性など所要の効果が確認された。
【００４０】
以上のように、本考案を実施するための最良の構成、方法等は、上記記載で開示されているが、本考案は、これに限定されるものではない。例えば、上記実施形態では、遺骨収納具の本体部が１本として形成されているが、図７に示すように本体部を複数本形成して複数の故人を供養することとしてもよい。
【００４１】
また、上記実施形態では記載しなかったが、本考案の宗教用具の本体にオルゴール部材を配設し、蓋体を開放状態にすると故人が好んだ音楽などが流れることとしてもよい。
【００４２】
さらに、本実施形態では記載していないが、遺骨の保存性を上げるために、遺骨カプセル内に遺骨収納用の例えばガラスや強化プラスティク製のカプセル（図示せず）を採用することとしてもよい。同様に、遺骨の保存性を上げるために、螺合部に合成ゴム又は、樹脂製のシール部材（図示せず）を採用することとしてもよい。
【００４３】
本実施形態では、蓋体の最大開放角度を１００度として説明したが、最大開放角度を特に限定するものではなく、本体と蓋体との底板の幅の関係で、本考案の宗教用具が卓上で安定的に自立状態を保持できる角度であればよい。
【００４４】
本実施形態では、遺骨収納具を略矩形状から成る３段形状と説明したが、形状は特に限定するものではなく、例えば球形をモチーフとした形状としてもよいし、例えばペットを供養する場合はそのペットをモチーフとした形状としてもよい。
【００４５】
本実施形態では、蓋体に額縁を保持するために磁石と磁性体とを利用すると説明したが、それに限定するものではなく、例えば面ファスナーを使用することとしてもよい。
【符号の説明】
【００４６】
１    宗教用具
２    本体
２Ａ，３Ａ    左側板
２Ｂ，３Ｂ    右側板
２Ｃ，３Ｃ    天板
２Ｄ，３Ｄ    底板
２Ｆ，３Ｆ    開口部
２Ｇ    小物収納部
２Ｈ，３Ｈ    脚部
２Ｉ，３Ｉ    背板
２Ｊ    ロック嵌合部
３    蓋体
３Ｊ    ロックピン
４    ヒンジ部材
５    遺骨収納具
５Ａ    収納具本体部
５Ｂ    上台部
５Ｃ    下台部
５Ｄ    空洞部
５Ｅ    収納具開口部
５Ｆ    蓋部
６    遺影
７    額縁
７Ａ    フレーム部
７Ｂ    挟持板
７Ｃ    係止部材
８    収納凹溝部
９    小物収納凹溝部
１０    係止棒
１１    磁石
１２    背板内壁
１３    磁性体
１４    挿入口
１５    収納部
１６    家系図
２０    遺骨カプセル
２０Ａ    遺骨カプセル
２０Ｂ    カプセル蓋部
２０Ｃ    カプセル開口部
２０Ｄ    螺合部
２０Ｅ    リング部
３０    ネックレスチェーン
３０Ａ    連結金具
３０Ｂ    チェーン本体
【図１】
0003222472.tif 000003
【図２】
0003222472.tif 000004
【図３】
0003222472.tif 000005
【図４】
0003222472.tif 000006
【図５】
0003222472.tif 000007
【図６】
0003222472.tif 000008
【図７】
0003222472.tif 000009